(57)【要約】  【課題】冷蔵庫の組み立ておよび冷却方式に関し、簡単な冷却器の組み立て方法と冷却効率の向上を図る。  【解決手段】冷蔵室１１に、保持部材２３によって係合保持されパイプ２１と略平板状の金属プレート２２から構成された冷却器１７と、その上部に送風ファン１８を有し、化粧板１９によりカバーされており、保持部材２３は内箱の開口部２４を発泡断熱材１４充填側から塞いでいることにより、簡単な冷却器の組み立て方法と冷却効率を向上させることができる。【選択図】図１
2006145151.tif 000002
【特許請求の範囲】
【請求項１】
外箱と、内箱と、前記外箱と内箱の空間に発泡断熱材を充填して形成される断熱箱体と、前記断熱箱体内に形成した貯蔵室と、冷却器と、冷却器をカバーする化粧板と、送風ファンとを備えた冷蔵庫において、前記冷却器はパイプと略平板状の金属プレートから構成され、前記内箱の背面に開口された開口部の発泡断熱材が充填される側から挿入し前記貯蔵室内に配置したことを特徴とした冷蔵庫。
【請求項２】
内箱開口部の大きさは、幅寸法は冷却器より大きく、高さ寸法は冷却器より小さいことを特徴とする請求項１に記載の冷蔵庫。
【請求項３】
冷却器は、樹脂製の保持部材により係合保持されていることを特徴とする請求項１から２のいずれか一項に記載の冷蔵庫。
【請求項４】
保持部材の大きさは内箱開口部より大きいことを特徴とする請求項３に記載の冷蔵庫。
【請求項５】
内箱の開口部は保持部材によって発泡断熱材充填側から塞がれることを特徴とする請求項３または４に記載の冷蔵庫。
【請求項６】
貯蔵室を冷蔵室としたことを特徴とする請求項１から５のいずれか一項に記載の冷蔵庫。
【発明の詳細な説明】
【技術分野】
【０００１】
本発明は、貯蔵室を効率よく冷却する構造を可能とし、その冷却器を簡素化し簡単に取り付けることができる冷蔵庫に関するものである。
【背景技術】
【０００２】
従来の冷蔵庫としては、庫内を構成する断熱箱体で形成された内箱と外箱の間に配置された冷却器である冷却パイプにより内箱の複数の壁面を冷却するとともに、冷却ファンにより冷気を循環させ庫内を冷却するものが提案されている（例えば、特許文献１参照）。
【０００３】
以下、図面を参照しながら上記従来の冷蔵庫を説明する。
【０００４】
図４は、従来の冷蔵庫の要部断面図である。図４に示すように、従来の冷蔵庫１は、庫内を構成する断熱箱体２で形成された内箱３と外箱４の間に配置された冷却器である冷却パイプ５と冷却ファン６から構成されている。
【０００５】
以上のように構成された冷蔵庫について、以下その動作を説明する。
【０００６】
庫内を構成する断熱箱体２で形成された内箱３と外箱４の間に配置された冷却器である冷却パイプ５により内箱の複数の壁面を冷却するとともに、その冷却された冷気を冷却ファン６により循環させている。
【特許文献１】特開２０００−２８２５７号公報
【発明の開示】
【発明が解決しようとする課題】
【０００７】
しかしながら従来提案されている冷蔵庫は、冷却器である冷却パイプ５が断熱箱体２で形成された内箱３と外箱４の間に配置されており、内箱３を介して庫内を冷却するため冷却効率が悪いという欠点があった。また、そのため冷却器である冷却パイプ５を広い範囲で冷却させるために内箱３の複数面に配設させる必要があり、冷却器である冷却パイプ５の仕様及び取り付け方法が複雑になるという欠点があった。
【０００８】
本発明は従来の課題を解決するもので、貯蔵室を効率よく冷却する構造を可能とし、その冷却器を簡素化し簡単に取り付けることができる冷蔵庫を提供することを目的とする。
【課題を解決するための手段】
【０００９】
上記従来の課題を解決するために、本発明の冷蔵庫は、外箱と内箱の空間に発泡断熱材を充填して形成される断熱箱体と、断熱箱体内に形成した貯蔵室と、パイプと略平板状の金属プレートから構成された冷却器と、冷却器をカバーする化粧板と、送風ファンとを備え、前記内箱背面に開口部を設けたものであり、冷却器は内箱の背面に開口された開口部の発泡断熱材が充填される側から挿入することにより簡単に貯蔵室内背面に配置することができ、送風ファンにより冷気を直接冷却器に接触し循環させることにより、効率よく冷却するという作用を有する。
【発明の効果】
【００１０】
本発明の冷蔵庫は、冷却器を内箱の背面に開口された開口部の発泡断熱材が充填される側から挿入することにより簡単に貯蔵室内背面に配置することができ、送風ファンにより冷気を直接冷却器に接触し循環させることにより、効率よく冷却するという効果を有する。
【発明を実施するための最良の形態】
【００１１】
請求項１に記載の発明は、外箱と、内箱と、前記外箱と内箱の空間に発泡断熱材を充填して形成される断熱箱体と、前記断熱箱体内に形成した貯蔵室と、冷却器と、冷却器をカバーする化粧板と、送風ファンとを備えたものであり、前記冷却器はパイプと略平板状の金属プレートから構成され、前記内箱の背面に開口された開口部の発泡断熱材が充填される側から挿入し取り付けることによって、簡単に貯蔵室内背面に配置することができ、送風ファンにより冷気を直接冷却器に接触し循環させることにより、効率よく冷却することができる。
【００１２】
請求項２に記載の発明は、請求項１に記載の発明において、内箱開口部の大きさは、幅寸法は冷却器より大きく、高さ寸法は冷却器より小さいことにより、冷却器挿入の開口部の穴寸法を小さくすることが可能で、内箱の強度確保と取り付け後の穴のシールを簡単にすることができる。
【００１３】
請求項３に記載の発明は、請求項１または２に記載の発明において、冷却器は、樹脂製の保持部材により係合保持されており、冷却器挿入後保持部材を内箱に固定することにより冷却器を貯蔵室内で所定の位置に配置することができる。
【００１４】
請求項４に記載の発明は、請求項３に記載の発明において、保持部材の大きさは内箱開口部より大きいことにより、保持部材と開口部のシール部を確保し、かつ内箱の開口による強度低下を抑えることができる。
【００１５】
請求項５に記載の発明は、請求項３または４に記載の発明において、内箱の開口部は保持部材によって発泡断熱材充填側から塞がれることにより、発泡断熱材の洩れを防ぐことができる。
【００１６】
請求項６に記載の発明は、請求項１から５のいずれか一項に記載の発明において、貯蔵室を冷蔵室としたものであり、組み込んだ冷却器や送風ファンの冷却要素がそのまま対面する室内の冷却に生かせる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における冷蔵庫の冷蔵室要部断面図である。図２は、同実施の形態における保持部材により係合保持された冷却器の斜視図である。また図３は、同実施の形態における内箱の背面からの斜視図である。
【００１９】
図１に示した冷蔵室１１は、外箱１２と、内箱１３と、発泡断熱材１４から形成される断熱箱体１５と、冷蔵室の前面開口部を閉塞する開閉式の冷蔵室扉１６から構成されている。冷蔵室１１の背面には冷却器１７、その上部に送風ファン１８を有し、化粧板１９によりカバーし風路２０を構成している。冷却器はパイプ２１と略平板状の金属プレート２２から構成され、樹脂製の保持部材２３によって係合保持されており、保持部材は内箱の開口部２４を発泡断熱材充填側から塞いでいる。
【００２０】
図２は冷蔵庫本体に組み込まれる冷却器１７と保持部材２３の組み立て品であり、冷却器１７は樹脂製の保持部材２３に設けられた係合部２５により固定保持されている。この冷却器の大きさは幅寸法がＡ、高さ寸法がＢである。また、保持部材の大きさは幅寸法がＣ、高さ寸法がＤである。
【００２１】
図３に示したように、内箱１３の開口部２４は冷蔵室背面に設けられ、その大きさは幅寸法がＥ、高さ寸法がＦである。冷却器１７、保持部材２３、内箱１３の開口部２４の大きさの関係は、幅寸法は冷却器、開口部、保持部材の順に大きくなり、Ａ＜Ｅ＜Ｃとなる。また、高さ寸法は開口部、保持部材、冷却器の順に大きくなり、Ｆ＜Ｄ＜Ｂとなる。
【００２２】
以上のように構成された冷蔵庫について、以下その動作を説明する。
【００２３】
まず、パイプ２１と略平板状の金属プレート２２から構成された冷却器１７を樹脂製の保持部材２３の係合部２５に固定し組み立て品とし、発泡断熱材１４を断熱箱体１５に充填する前に内箱１３の背面に開口された開口部２４の発泡断熱材１４が充填される側から挿入し取り付ける。このとき、冷却器１７の幅寸法Ａは内箱の開口部２４の幅寸法Ｅより小さいので、冷却器１７の保持部材２３との係合側とは反対の方向より挿入可能である。また保持部材２３の幅寸法Ｃおよび高さ寸法Ｄは、開口部２４の幅寸法Ｅおよび高さ寸法Ｆより大きいので冷却器を挿入後保持部材で開口部を覆いシールすることができる。
【００２４】
次に、発泡断熱材１４を充填し断熱箱体１５を形成させ、送風ファン１８および化粧板１９を冷蔵室１１の前面開口部より組み立て風路２０を構成する。風路２０部で送風ファン１８により冷気を冷却器１７に送り直接熱交換させ冷蔵室１１に吐出させることができる。
【００２５】
以上のように本実施の形態の冷蔵庫は、冷却器１７を庫内側の所定の位置に簡単に組み立てることができる。また内箱１３の開口部２４を冷却器１７の高さ寸法より小さくすることが可能であり内箱１３の強度の確保および、保持部材２３周縁でシールし発泡断熱材１４の充填時の漏れを防ぐことができる。
【００２６】
さらに、送風ファンにより冷気を直接冷却器に接触し循環させることにより、効率よく冷却することができるようになる。
【産業上の利用可能性】
【００２７】
以上のように、本発明にかかる冷蔵庫は、冷却器などの冷却要素をそのまま対面する室内に配置し効率よく冷却させることができ、その組み立ても発泡断熱材の漏れをシールしながら簡単に組み立てることが可能で、食品や薬品やその他温度管理を有するものの貯蔵機器等の用途にも適用できる。
【図面の簡単な説明】
【００２８】
【図１】本発明の実施の形態１における冷蔵庫の冷蔵室要部断面図
【図２】同実施の形態における保持部材により係合保持された冷却器の斜視図
【図３】同実施の形態における内箱の背面からの斜視図
【図４】従来の冷蔵庫の要部断面図
【符号の説明】
【００２９】
１１  冷蔵室
１２  外箱
１３  内箱
１４  発泡断熱材
１５  断熱箱体
１７  冷却器
１８  送風ファン
１９  化粧板
２１  パイプ
２２  金属プレート
２３  保持部材
２４  開口部
【図１】
2006145151.tif 000003
【図２】
2006145151.tif 000004
【図３】
2006145151.tif 000005
【図４】
2006145151.tif 000006